【手続補正書】
【提出日】令和3年10月8日(2021.10.8)
【手続補正１】
【補正対象書類名】明細書
【補正対象項目名】発明の名称
【補正方法】変更
【補正の内容】
【発明の名称】案内システム、携帯端末、サーバ、案内方法及びプログラム
【手続補正２】
【補正対象書類名】明細書
【補正対象項目名】０００１
【補正方法】変更
【補正の内容】
【０００１】
本発明は、案内システム、携帯端末、サーバ、案内方法及びプログラムに関する。
【手続補正３】
【補正対象書類名】明細書
【補正対象項目名】０００５
【補正方法】変更
【補正の内容】
【０００５】
本発明は、このような背景を鑑みてなされたものであり、測位精度が悪い場合であっても適切な案内を可能とする案内システム、携帯端末、サーバ、案内方法及びプログラムを提供することを課題とする。
【手続補正４】
【補正対象書類名】明細書
【補正対象項目名】０００６
【補正方法】変更
【補正の内容】
【０００６】
前記した課題を解決するため、本発明に係る案内システムは、利用者の位置を検出するとともにこの検出した利用者の位置を予め登録されている複数のルートのうち最も近いルート上の位置に補正することで前記利用者の補正位置を取得する補正位置取得手段と、所定の位置毎に、当該位置に対応する案内が記憶されている案内記憶手段と、前記利用者の補正位置の履歴から前記利用者の移動している方向を導出するとともにこの導出された方向に現在の前記利用者の補正位置から所定の距離または所定の移動時間分だけ離れた位置を特定する位置特定手段と、前記案内記憶手段から、前記位置特定手段が特定した位置から所定の距離内の位置であって前記位置特定手段が特定した位置から最も近い位置に対応する案内を取得する案内取得手段と、前記案内取得手段が取得した案内を前記利用者に対して告知する案内出力手段と、を備えることを特徴とする。
また、本発明に係る携帯端末は、端末の位置を検出するとともにこの検出した端末の位置を予め登録されている複数のルートのうち最も近いルート上の位置に補正することで前記端末の補正位置を取得する補正位置取得手段と、所定の位置毎に、当該位置に対応する案内が記憶されている案内記憶手段と、前記端末の補正位置の履歴から前記端末の移動している方向を導出するとともにこの導出された方向に現在の前記端末の補正位置から所定の距離または所定の移動時間分だけ離れた位置を特定する位置特定手段と、前記案内記憶手段から、前記位置特定手段が特定した位置から所定の距離内の位置であって前記位置特定手段が特定した位置から最も近い位置に対応する案内を取得する案内取得手段と、前記案内取得手段が取得した案内を告知する案内出力手段と、を備えることを特徴とする。
また、本発明に係るサーバは、相互に通信可能な携帯端末およびサーバを含む案内システムのサーバであって、前記携帯端末が検出した利用者の位置を予め登録されている複数のルートのうち最も近いルート上の位置に補正することで前記利用者の補正位置を取得する補正位置取得手段と、所定の位置毎に、当該位置に対応する案内が記憶されている案内記憶手段と、前記利用者の補正位置の履歴から前記利用者の移動している方向を導出するとともにこの導出された方向に現在の前記利用者の補正位置から所定の距離または所定の移動時間分だけ離れた位置を特定する位置特定手段と、前記案内記憶手段から、前記位置特定手段が特定した位置から所定の距離内の位置であって前記位置特定手段が特定した位置から最も近い位置に対応する案内を取得して、前記携帯端末に送信する案内送信手段と、を備えることを特徴とする。
また、本発明に係る案内方法は、所定の位置毎に、当該位置に対応する案内が記憶されている案内記憶手段を備えた案内システムが実行する案内方法であって、利用者の位置を検出するとともにこの検出した利用者の位置を予め登録されている複数のルートのうち最も近いルート上の位置に補正することで前記利用者の補正位置を取得する補正位置取得処理と、前記利用者の補正位置の履歴から前記利用者の移動している方向を導出するとともにこの導出された方向に現在の前記利用者の補正位置から所定の距離または所定の移動時間分だけ離れた位置を特定する位置特定処理と、前記案内記憶手段から、前記位置特定処理で特定した位置から所定の距離内の位置であって前記位置特定処理で特定した位置から最も近い位置に対応する案内を取得する案内取得処理と、前記案内取得処理で取得した案内を前記利用者に対して告知する案内出力処理と、を含むことを特徴とする。
また、本発明に係るプログラムは、所定の位置毎に、当該位置に対応する案内が記憶されている案内記憶手段を備えた装置のコンピュータを、利用者の位置を検出するとともにこの検出した利用者の位置を予め登録されている複数のルートのうち最も近いルート上の位置に補正することで前記利用者の補正位置を取得する補正位置取得手段、前記利用者の補正位置の履歴から前記利用者の移動している方向を導出するとともにこの導出された方向に現在の前記利用者の補正位置から所定の距離または所定の移動時間分だけ離れた位置を特定する位置特定手段、前記案内記憶手段から、前記位置特定手段が特定した位置から所定の距離内の位置であって前記位置特定手段が特定した位置から最も近い位置に対応する案内を取得する案内取得手段、前記案内取得手段が取得した案内を前記利用者に対して告知する案内出力手段、として機能させることを特徴とする。
【手続補正５】
【補正対象書類名】明細書
【補正対象項目名】０００７
【補正方法】変更
【補正の内容】
【０００７】
本発明によれば、測位精度が悪い場合であっても適切な案内を可能とする案内システム、携帯端末、サーバ、案内方法及びプログラムを提供することができる。
【手続補正６】
【補正対象書類名】特許請求の範囲
【補正対象項目名】全文
【補正方法】変更
【補正の内容】
【特許請求の範囲】
【請求項１】
利用者の位置を検出するとともにこの検出した利用者の位置を予め登録されている複数のルートのうち最も近いルート上の位置に補正することで前記利用者の補正位置を取得する補正位置取得手段と、
所定の位置毎に、当該位置に対応する案内が記憶されている案内記憶手段と、
前記利用者の補正位置の履歴から前記利用者の移動している方向を導出するとともにこの導出された方向に現在の前記利用者の補正位置から所定の距離または所定の移動時間分だけ離れた位置を特定する位置特定手段と、
前記案内記憶手段から、前記位置特定手段が特定した位置から所定の距離内の位置であって前記位置特定手段が特定した位置から最も近い位置に対応する案内を取得する案内取得手段と、
前記案内取得手段が取得した案内を前記利用者に対して告知する案内出力手段と、
を備えることを特徴とする案内システム。
【請求項２】
前記予め登録されている複数のルートには、前記利用者が移動する通路の一方の端を通過するルートと他方の端を通過するルートと、が含まれる、
ことを特徴とする請求項１に記載の案内システム。
【請求項３】
前記複数のルートは、所定の施設内のルートであり、
前記案内は、展示物についての案内である、
ことを特徴とする請求項１または２に記載の案内システム。
【請求項４】
端末の位置を検出するとともにこの検出した端末の位置を予め登録されている複数のルートのうち最も近いルート上の位置に補正することで前記端末の補正位置を取得する補正位置取得手段と、
所定の位置毎に、当該位置に対応する案内が記憶されている案内記憶手段と、
前記端末の補正位置の履歴から前記端末の移動している方向を導出するとともにこの導出された方向に現在の前記端末の補正位置から所定の距離または所定の移動時間分だけ離れた位置を特定する位置特定手段と、
前記案内記憶手段から、前記位置特定手段が特定した位置から所定の距離内の位置であって前記位置特定手段が特定した位置から最も近い位置に対応する案内を取得する案内取得手段と、
前記案内取得手段が取得した案内を告知する案内出力手段と、
を備えることを特徴とする携帯端末。
【請求項５】
相互に通信可能な携帯端末およびサーバを含む案内システムのサーバであって、
前記携帯端末が検出した利用者の位置を予め登録されている複数のルートのうち最も近いルート上の位置に補正することで前記利用者の補正位置を取得する補正位置取得手段と、
所定の位置毎に、当該位置に対応する案内が記憶されている案内記憶手段と、
前記利用者の補正位置の履歴から前記利用者の移動している方向を導出するとともにこの導出された方向に現在の前記利用者の補正位置から所定の距離または所定の移動時間分だけ離れた位置を特定する位置特定手段と、
前記案内記憶手段から、前記位置特定手段が特定した位置から所定の距離内の位置であって前記位置特定手段が特定した位置から最も近い位置に対応する案内を取得して、前記携帯端末に送信する案内送信手段と、
を備えることを特徴とするサーバ。
【請求項６】
所定の位置毎に、当該位置に対応する案内が記憶されている案内記憶手段を備えた案内システムが実行する案内方法であって、
利用者の位置を検出するとともにこの検出した利用者の位置を予め登録されている複数のルートのうち最も近いルート上の位置に補正することで前記利用者の補正位置を取得する補正位置取得処理と、
前記利用者の補正位置の履歴から前記利用者の移動している方向を導出するとともにこの導出された方向に現在の前記利用者の補正位置から所定の距離または所定の移動時間分だけ離れた位置を特定する位置特定処理と、
前記案内記憶手段から、前記位置特定処理で特定した位置から所定の距離内の位置であって前記位置特定処理で特定した位置から最も近い位置に対応する案内を取得する案内取得処理と、
前記案内取得処理で取得した案内を前記利用者に対して告知する案内出力処理と、
を含むことを特徴とする案内方法。
【請求項７】
所定の位置毎に、当該位置に対応する案内が記憶されている案内記憶手段を備えた装置のコンピュータを、
利用者の位置を検出するとともにこの検出した利用者の位置を予め登録されている複数のルートのうち最も近いルート上の位置に補正することで前記利用者の補正位置を取得する補正位置取得手段、
前記利用者の補正位置の履歴から前記利用者の移動している方向を導出するとともにこの導出された方向に現在の前記利用者の補正位置から所定の距離または所定の移動時間分だけ離れた位置を特定する位置特定手段、
前記案内記憶手段から、前記位置特定手段が特定した位置から所定の距離内の位置であって前記位置特定手段が特定した位置から最も近い位置に対応する案内を取得する案内取得手段、
前記案内取得手段が取得した案内を前記利用者に対して告知する案内出力手段、
として機能させることを特徴とするプログラム。